(57)【要約】  実施形態の電力変換装置は、筐体と、電力変換ユニットと、ファンと、可撓性のシャッターとを備えている。前記シャッターは、シート状に形成されている。前記シャッターは、前記筐体と前記枠体とのうち少なくとも一方に固定された端部と、前記筐体に対して移動可能な可動部とを含む。前記シャッターは、前記ファンが駆動された場合に前記ファンからの風によって変形して前記筐体と前記枠体とのうち少なくとも一方との間に前記風を通す隙間を形成する。
2020008523.tif 000002
【特許請求の範囲】
【請求項１】
筐体と、
前記筐体に収容された電力変換ユニットと、
前記筐体と前記筐体に取り付けられた枠体とのうち少なくとも一方に収容され、前記筐体内の空気を前記筐体の外部に排気する第１ファンと、
シート状に形成され、前記筐体の外部に配置されて前記第１ファンを覆うとともに、前記筐体と前記枠体とのうち少なくとも一方に固定された第１端部と、前記筐体に対して移動可能な可動部とを含み、前記第１ファンが駆動された場合に前記第１ファンからの風によって変形して前記筐体と前記枠体とのうち少なくとも一方との間に前記風を通す隙間を形成する可撓性の第１シャッターと、
を備えた電力変換装置。
【請求項２】
前記第１ファンは、前記筐体の上方に向けて前記風を送り、
前記第１シャッターは、前記筐体よりも上方で略水平に配置され、前記可動部が前記風によって上方に持ち上げられることで前記隙間を形成する、
請求項１に記載の電力変換装置。
【請求項３】
前記枠体をさらに備え、
前記枠体は、上方に向いた排気口を有し、
前記第１シャッターは、前記枠体の外部に配置され、前記第１ファンが駆動されていない場合に前記排気口を上方から覆う、
請求項２に記載の電力変換装置。
【請求項４】
前記枠体に収容された整流板をさらに備え、
前記第１シャッターは、前記第１端部とは反対側に位置した第２端部を有するとともに、該第１シャッターの中心と前記第１端部との間に位置した第１領域と、該第１シャッターの中心と前記第２端部との間に位置した第２領域とを有し、
前記整流板は、前記第１ファンの回転中心軸に対して傾いた傾斜部を含み、前記第１ファンからの風の少なくとも一部の流れ方向を前記第１シャッターの前記第２領域に向けて変える、
請求項３に記載の電力変換装置。
【請求項５】
メッシュ部材をさらに備え、
前記メッシュ部材は、前記枠体に収容されて前記第１ファンと前記第１シャッターとの間に位置する、
請求項３に記載の電力変換装置。
【請求項６】
前記第１ファンと前記第１シャッターとの間に配置され、複数の排気孔を有したパネルをさらに備えた、
請求項２に記載の電力変換装置。
【請求項７】
前記パネルは、前記第１ファンが駆動されていない場合に該パネルの上に位置した前記第１シャッターを略水平な姿勢に支持する、
請求項６に記載の電力変換装置。
【請求項８】
前記第１シャッターは、前記第１端部とは反対側に位置した第２端部を有し、
前記複数の排気孔は、前記第１シャッターの前記第１端部よりも前記第２端部の近くに偏って配置されている、
請求項６に記載の電力変換装置。
【請求項９】
前記第１シャッターは、前記第１端部とは反対側に位置した第２端部を有し、
前記複数の排気孔は、該複数の排気孔のなかで前記第１シャッターの前記第２端部に最も近い第１孔を含み、
前記第１シャッターは、前記第１ファンが最大定格出力で駆動されて前記風によって前記第１シャッターが変形した状態で、前記第２端部が前記第１孔に対して前記第１端部とは反対側に残る大きさを有した、
請求項６に記載の電力変換装置。
【請求項１０】
前記筐体と前記枠体とのうち少なくとも一方に収容され、前記筐体内の空気を前記筐体の外部に排気する第２ファンと、
シート状に形成され、前記筐体と前記枠体とのうち少なくとも一方に固定された第１端部と、前記筐体に対して移動可能な可動部とを含み、前記第２ファンが駆動された場合に前記第２ファンからの風によって変形して前記筐体と前記枠体とのうち少なくとも一方との間に前記風を通す隙間を形成する可撓性の第２シャッターと、
をさらに備え、
前記第１シャッターと前記第２シャッターとは、並べて配置され、
前記第１シャッターが形成する前記隙間から排気される風の主流れ方向が前記第１シャッターから前記第２シャッターの上方に向かう方向であり、前記第２シャッターが形成する前記隙間から排気される風の主流れ方向が前記第１シャッターとは反対側に向かう方向となるように、前記第１シャッターの前記第１端部および前記第２シャッターの前記第１端部の配置位置が設定されている、
請求項１に記載の電力変換装置。
【請求項１１】
前記筐体と前記枠体とのうち少なくとも一方に収容され、前記筐体内の空気を前記筐体の外部に排気する第２ファンと、
シート状に形成され、前記筐体と前記枠体とのうち少なくとも一方に固定された第１端部と、前記筐体に対して移動可能な可動部とを含み、前記第２ファンが駆動された場合に前記第２ファンからの風によって変形して前記筐体と前記枠体とのうち少なくとも一方との間に前記風を通す隙間を形成する可撓性の第２シャッターと、
をさらに備え、
前記第１シャッターと前記第２シャッターは、並べて配置され、
前記第１シャッターが形成する前記隙間から排気される風の主流れ方向と、前記第２シャッターが形成する前記隙間から排気される風の主流れ方向とが、互いに向かい合う方向ではない互いに異なる方向となるように、前記第１シャッターの前記第１端部および前記第２シャッターの前記第１端部の配置位置が設定されている、
請求項１に記載の電力変換装置。
【請求項１２】
筐体と、前記筐体に収容された電力変換ユニットと、前記筐体と前記筐体に取り付けられた枠体とのうち少なくとも一方に収容され、前記筐体内の空気を前記筐体の外部に排気するファンとを有した電力変換装置に用いられる排気用構造体であって、
シート状に形成され、前記筐体と前記枠体とのうち少なくとも一方に固定された第１端部と、前記筐体に対して移動可能な可動部とを含み、前記ファンが駆動された場合に前記ファンからの風によって変形して前記筐体と前記枠体とのうち少なくとも一方との間に前記風を通す隙間を形成する可撓性のシャッター、
を備えた排気用構造体。
【発明の詳細な説明】
【技術分野】
【０００１】
本発明の実施形態は、電力変換装置、および排気用構造体に関する。
【背景技術】
【０００２】
筐体と、前記筐体に収容された電力変換ユニットと、前記筐体内の空気を前記筐体の外部に排気するファンとを備えた電力変換装置が知られている。【０００３】
ところで、電力変換装置の筐体の排気口に対して金属製のシャッターを設ける場合を考える。この場合、シャッターを回動可能に支持するシャッター軸が経年劣化し、電力変換装置の長期使用においてシャッターが設計通りに動作しなくなる可能性がある。
【先行技術文献】
【特許文献】
【０００４】
【特許文献１】日本国特開２００１−３１７７７５号公報
【発明の概要】
【発明が解決しようとする課題】
【０００５】
本発明が解決しようとする課題は、シャッターが長期間に亘り設計通りに動作しやすい電力変換装置および排気用構造体を提供することである。
【課題を解決するための手段】
【０００６】
実施形態の電力変換装置は、筐体と、電力変換ユニットと、ファンと、可撓性のシャッターとを備えている。前記電力変換ユニットは、前記筐体に収容されている。前記ファンは、前記筐体と前記筐体に取り付けられた枠体とのうち少なくとも一方に収容され、前記筐体内の空気を前記筐体の外部に排気する。前記シャッターは、シート状に形成され、前記筐体の外部に配置されて前記ファンを覆う。前記シャッターは、前記筐体と前記枠体とのうち少なくとも一方に固定された端部と、前記筐体に対して移動可能な可動部とを含む。前記シャッターは、前記ファンが駆動された場合に前記ファンからの風によって変形して前記筐体と前記枠体とのうち少なくとも一方との間に前記風を通す隙間を形成する。
【図面の簡単な説明】
【０００７】
【図１】第１の実施形態の電力変換装置を一部分解して示す斜視図。
【図２】第１の実施形態の電力変換装置を示す斜視図。
【図３】図２に示された電力変換装置のＦ３−Ｆ３線に沿う断面図。
【図４】第１の実施形態の電力変換装置の一部を示す斜視図。
【図５】第１の実施形態の電力変換装置を示す断面図。
【図６】第１の実施形態の電力変換装置の一部を示す平面図。
【図７】図２に示された電力変換装置のＦ７−Ｆ７線に沿う断面図。
【図８】第２の実施形態の電力変換装置を示す斜視図。
【図９】第３の実施形態の電力変換装置を一部分解して示す斜視図。
【図１０】第４の実施形態の電力変換装置を一部分解して示す斜視図。
【図１１】第５の実施形態の電力変換装置を示す断面図。
【図１２】第６の実施形態の電力変換装置を示す斜視図。
【図１３】第６の実施形態の電力変換装置を一部分解して示す斜視図。
【図１４】第１から第６の実施形態の変形例の電力変換装置の一部を示す平面図。
【発明を実施するための形態】
【０００８】
以下、実施形態の電力変換装置および排気用構造体を、図面を参照して説明する。なお以下の説明では、同一または類似の機能を有する構成に同一の符号を付す。そして、それら構成の重複する説明は省略する場合がある。また説明の便宜上、いくつかの図で整流板３４Ａ，３４Ｂの図示を省略している。
【０００９】
（第１の実施形態）
図１から図７を参照して、第１の実施形態の電力変換装置１および排気用構造体１４について説明する。ここで先に、＋Ｘ方向、−Ｘ方向、＋Ｙ方向、−Ｙ方向、＋Ｚ方向、および−Ｚ方向について定義する。＋Ｘ方向、−Ｘ方向、＋Ｙ方向、および−Ｙ方向は、略水平面に沿う方向である。＋Ｘ方向は、後述する筐体１１の前壁１１ａから後壁１１ｂに向かう方向である。−Ｘ方向は、＋Ｘ方向とは反対の方向である。＋Ｘ方向と−Ｘ方向とを区別しない場合は、単に「Ｘ方向」と称する。＋Ｙ方向および−Ｙ方向は、Ｘ方向とは異なる（例えば略直交する）方向である。＋Ｙ方向は、後述する第１ファン１３Ａから第２ファン１３Ｂに向かう方向である。−Ｙ方向は、＋Ｙ方向とは反対方向である。＋Ｙ方向と−Ｙ方向とを区別しない場合は、単に「Ｙ方向」と称する。＋Ｚ方向および−Ｚ方向は、Ｘ方向およびＹ方向とは異なる（例えば略直交する）方向である。＋Ｚ方向は、上向きの略鉛直方向である。―Ｚ方向は、＋Ｚ方向とは反対方向であり、下向きの略鉛直方向である。＋Ｚ方向と−Ｚ方向とを区別しない場合は、単に「Ｚ方向」と称する。
【００１０】
図１は、電力変換装置１を一部分解して示す斜視図である。電力変換装置１は、例えば、モータのような負荷に所望の電力を供給するドライブ装置である。例えば、電力変換装置１は、交流電源から供給される交流電力を直流電力に変換し、その直流電力を所望の周波数・電圧の交流電力に変換して前記負荷に供給する。なお、電力変換装置は、上記例に限定されず、例えば、直流電力を交流電力に変換する機能と、直流電力を交流電力に変換する機能とのうち少なくとも一方を有すればよい。
【００１１】
電力変換装置１は、例えば、筐体１１、複数の電力変換ユニット１２（図１中では代表して１つのみを示す）、複数のファン１３Ａ，１３Ｂ、および排気用構造体１４を備えている。
【００１２】
筐体１１は、例えば箱状に形成されている。筐体１１の内部には、複数の電力変換ユニット１２を支持する棚（不図示）が設けられている。筐体１１は、例えば、前壁１１ａ、後壁１１ｂ、第１側壁１１ｃ、第２側壁１１ｄ、下壁１１ｅ、および上壁（天板）１１ｆを有する。
【００１３】
前壁１１ａは、筐体１１のなかで−Ｘ方向側の端部に位置し、Ｙ方向およびＺ方向に沿う。前壁１１ａには、複数の吸気孔２１が設けられている。複数の吸気孔２１は、筐体１１の外部と筐体１１の内部とを連通させる。後述するファン１３Ａ，１３Ｂが駆動されると、筐体１１の外部の空気は、吸気孔２１を通じて筐体１１の内部に導かれる。
【００１４】
後壁１１ｂは、筐体１１のなかで＋Ｘ方向側の端部に位置し、Ｙ方向およびＺ方向に沿う。第１側壁１１ｃは、筐体１１のなかで＋Ｙ方向側の端部に位置し、Ｘ方向およびＺ方向に沿う。第２側壁１１ｄは、筐体１１のなかで−Ｙ方向側の端部に位置し、Ｘ方向およびＺ方向に沿う。下壁１１ｅは、筐体１１のなかで−Ｚ方向側の端部に位置し、Ｘ方向およびＹ方向に沿う。
【００１５】
上壁１１ｆは、筐体１１のなかで＋Ｚ方向側の端部に位置し、Ｘ方向およびＹ方向に沿う。上壁１１ｆには、複数の開口部２２Ａ，２２Ｂ（第１開口部２２Ａおよび第２開口部２２Ｂ）が設けられている。複数の開口部２２Ａ，２２Ｂは、例えばＹ方向に並んでいる。複数の開口部２２Ａ，２２Ｂは、それぞれＺ方向に上壁１１ｆを貫通し、筐体１１の内部と筐体１１の外部とを連通させる。後述するファン１３Ａ，１３Ｂが駆動されると、筐体１１の内部の空気は、開口部２２Ａ，２２Ｂを通じて筐体１１の外部に排気される。
【００１６】
複数の電力変換ユニット１２は、筐体１１に収容されている。電力変換ユニット１２は、例えば、交流電力を直流電力に変換するコンバータと、直流電力を交流電力に変換するインバータとのうち少なくとも一方を含む。なお、電力変換装置１は、少なくとも１つの電力変換ユニット１２を備えていればよい。電力変換ユニット１２は、駆動時に発熱する。
【００１７】
複数のファン１３Ａ，１３Ｂ（第１ファン１３Ａおよび第２ファン１３Ｂ）は、例えば、筐体１１に収容されている。各ファン１３Ａ，１３Ｂの少なくとも一部は、筐体１１の外部に突出して後述する枠体３１Ａ，３１Ｂに収容されてもよい。なお、複数のファン１３Ａ，１３Ｂは、筐体１１に代えて、後述する枠体３１Ａ，３１Ｂに収容されてもよい。この場合の例は、第５の実施形態として改めて説明する。
【００１８】
本実施形態では、複数のファン１３Ａ，１３Ｂは、Ｙ方向に並んでいる。各ファン１３Ａ，１３Ｂは、例えば、軸流ファンである。各ファン１３Ａ，１３Ｂの回転中心軸Ｃ１（図３参照）は、Ｚ方向に沿う。各ファン１３Ａ，１３Ｂは、−Ｚ方向に開口した吸気口２５と、＋Ｚ方向に開口した吐出口２６とを有する（図３参照）。各ファン１３Ａ，１３Ｂは、筐体１１内の空気を吸い込み、吸い込んだ空気を＋Ｚ方向に吐出する。
【００１９】
本実施形態では、複数のファン１３Ａ，１３Ｂは、筐体１１の上端部に収容されている。第１ファン１３Ａの吐出口２６は、筐体１１の第１開口部２２Ａに対応して配置されている。第１ファン１３Ａは、吸い込んだ空気を、筐体１１の第１開口部２２Ａを通じて筐体１１の外部に排気する。一方で、第２ファン１３Ｂの吐出口２６は、筐体１１の第２開口部２２Ｂに対応して配置されている。第２ファン１３Ｂは、吸い込んだ空気を、筐体１１の第２開口部２２Ｂを通じて筐体１１の外部に排気する。ただし、各ファン１３Ａ，１３Ｂは、筐体１１内の空気を筐体１１の外部に排気するファンであればよく、構成および配置位置は、上記例に限定されない。
【００２０】
複数のファン１３Ａ，１３Ｂは、例えば、電力変換装置１に冗長性を持たせるために設けられた一対のファンセットである。各ファン１３Ａ，１３Ｂは、１台でも電力変換装置１の冷却に十分な性能を持つ。複数のファン１３Ａ，１３Ｂは、例えば交互に運転される。複数のファン１３Ａ，１３Ｂは、いずれか１台が故障した場合に残りの１台が連続して運転される。
【００２１】
各ファン１３Ａ，１３Ｂは、例えば、ボルトやリベットのような固定部材１５によって筐体１１の上壁１１ｆに固定されている。固定部材１５の少なくとも一部は、上壁１１ｆの上面よりも＋Ｚ方向に突出している。
【００２２】
また、各ファン１３Ａ，１３Ｂには、ファンカバー１６が取り付けられてもよい。ファンカバー１６の少なくとも一部は、例えば、上壁１１ｆの上面よりも＋Ｚ方向に突出している。なお、ファンカバー１６は、後述するパネル３２Ａ，３２Ｂが設けられる場合などは、省略されてもよい。
【００２３】
次に、排気用構造体１４について説明する。排気用構造体１４は、例えば、複数の枠体３１Ａ，３１Ｂ（第１枠体３１Ａおよび第２枠体３１Ｂ）、複数のパネル３２Ａ，３２Ｂ（第１パネル３２Ａおよび第２パネル３２Ｂ）、複数のシャッター３３Ａ，３３Ｂ（第１シャッター３３Ａおよび第２シャッター３３Ｂ）、および複数の整流板３４Ａ，３４Ｂ（第１整流板３４Ａおよび第２整流板３４Ｂ、図７参照）を有する。
【００２４】
ここで、第１枠体３１Ａ、第１パネル３２Ａ、第１シャッター３３Ａ、および第１整流板３４Ａの組（第１組）と、第２枠体３１Ｂ、第２パネル３２Ｂ、第２シャッター３３Ｂ、および第２整流板３４Ｂの組（第２組）とは、構成および機能が互いに略同じである。このため以下では、第１組を代表として説明する。第２組に関する説明は、以下に述べる第１組に関する説明において、「第１枠体３１Ａ」を「第２枠体３１Ｂ」、「第１パネル３２Ａ」を「第２パネル３２Ｂ」、「第１シャッター３３Ａ」を「第２シャッター３３Ｂ」、「第１整流板３４Ａ」を「第２整流板３４Ｂ」、「第１ファン１３Ａ」を「第２ファン１３Ｂ」、「第１開口部２２Ａ」を「第２開口部２２Ｂ」と読み替えればよい。第２組は、第１組に対して、例えば＋Ｙ方向側に配置されている。
【００２５】
まず、第１枠体３１Ａについて説明する。第１枠体３１Ａは、筐体１１の外部に配置され、上方から筐体１１の上壁１１ｆに取り付けられる。第１枠体３１Ａは、筐体１１の第１開口部２２Ａに対応して配置されている。第１枠体３１Ａは、平面視において、第１開口部２２Ａを囲う略四角形の枠状に形成されている。第１枠体３１Ａは、枠状に形成されることで、＋Ｚ方向に向いた排気口４１を有する。排気口４１は、Ｚ方向で筐体１１の第１開口部２２Ａに面する。
【００２６】
本実施形態では、第１枠体３１Ａの中心は、Ｚ方向で、第１ファン１３Ａの回転中心軸Ｃ１（図３参照）と略一致する。「第１枠体３１Ａの中心」とは、多角形状（例えば四角形状）の第１枠体３１Ａの全ての角部（例えば４つの角部）から略等距離の位置である。
【００２７】
第１枠体３１Ａは、例えば、上述した固定部材１５（第１ファン１３Ａを筐体１１の上壁１１ｆに固定する固定部材）の少なくとも一部、およびファンカバー１６の少なくとも一部を収容する。これにより、上壁１１ｆから＋Ｚ方向に突出した構造物（例えば、固定部材１５およびファンカバー１６）が存在する場合であっても、第１シャッター３３Ａが略水平な姿勢で第１ファン１３Ａを覆いやすくなる。
【００２８】
次に、第１パネル３２Ａについて説明する。第１パネル３２Ａは、Ｘ方向およびＹ方向に沿う板状に形成されている。第１パネル３２Ａは、金属製または硬質の合成樹脂製であり、剛性を有する。第１パネル３２Ａは、第１ファン１３Ａと第１シャッター３３Ａとの間に配置されている。第１パネル３２Ａは、第１ファン１３Ａが駆動されていない場合に、第１シャッター３３Ａを略水平な姿勢に支持する支持部材として機能する。また、第１パネル３２Ａは、例えば上方からの落下物（例えば上方で作業が行われる場合の工具など）から電力変換装置１の内部を保護する保護部材としても機能する。また、第１パネル３２Ａは、電力変換装置１の使用者や作業者が誤って第１ファン１３Ａに向けて手を伸ばさないようにするための安全部材としても機能する。さらに、第１パネル３２Ａが金属製の場合、第１パネル３２Ａは、電磁障害（ＥＭＩ：Electro Magnetic Interference））対策用の部材としても機能する。
【００２９】
本実施形態では、第１パネル３２Ａは、第１枠体３１Ａの上面に取り付けられ、第１枠体３１Ａと第１シャッター３３Ａとの間に配置されている。第１パネル３２Ａは、第１枠体３１Ａの排気口４１よりも大きな外形を有し、排気口４１を上方から覆う。本実施形態では、第１パネル３２Ａは、第１ファン１３Ａが駆動されていない場合、該第１パネル３２Ａの上に載せられた第１シャッター３３Ａを下方から支持することで、第１シャッター３３Ａを略水平な姿勢に支持する。「略水平な姿勢」の定義は、第１シャッター３３Ａの動きと併せて後述する。
【００３０】
第１パネル３２Ａは、複数の排気孔４２を有する。各排気孔４２は、第１枠体３１Ａの排気口４１よりも小さい。各排気孔４２は、想定される落下物（例えば工具）や人間の手よりも小さい。ただし、複数の排気孔４２の開口面積の合計は、第１ファン１３Ａの吐出口２６の開口面積と同じ以上に設定される。本実施形態では、各排気孔４２は、Ｙ方向に沿うスリット状に形成されている。ただし、排気孔４２の形状は、上記例に限定されず、多角形状や円形状などでもよい。なお、複数の排気孔４２の位置については後述する。
【００３１】
本実施形態では、第１パネル３２Ａは、第１枠体３１Ａの外形に沿う四角形状に形成されている。第１パネル３２Ａの中心は、Ｚ方向で、第１ファン１３Ａの回転中心軸Ｃ１（図３参照）と略一致する。「第１パネル３２Ａの中心」とは、多角形状（例えば四角形状）の第１パネル３２Ａの全ての角部（例えば４つの角部）から略等距離の位置である。
【００３２】
第１パネル３２Ａは、複数のねじ挿通穴４５を有する。一方で、第１枠体３１Ａは、複数のねじ挿通穴４５に対応する位置にそれぞれ複数のねじ穴４４を有する。第１パネル３２Ａは、複数の固定部材４６がねじ挿通穴４５に挿通されてねじ穴４４に係合することで、第１枠体３１Ａに固定される。ここで、複数のねじ挿通穴４５および複数のねじ穴４４は、Ｘ方向に沿う第１パネル３２Ａの中心線Ｌに対して非対称に配置されている。例えば、複数のねじ穴４４は、上記中心線Ｌに対して＋Ｙ方向側に位置する２つのねじ穴４４Ａと、上記中心線Ｌに対して−Ｙ方向側に位置する２つのねじ穴４４Ｂとを含む。そして、２つのねじ穴４４Ａの間の距離は、２つのねじ穴４４Ｂの間の距離とは異なる。これにより、第１枠体３１Ａに対する第１パネル３２Ａの取り付け向きが一義的に規制される。その結果、第１枠体３１Ａに対して正規とは異なる向きで第１パネル３２Ａが取り付けられことが防止され、後述するように複数の排気孔４２を特定方向に偏らせて配置することができる。ただし、実施形態は上記例に限定されず、２つのねじ穴４４Ａの間の距離と、２つのねじ穴４４Ｂの間の距離とは同じでもよい。
【００３３】
次に、第１シャッター３３Ａについて説明する。第１シャッター３３Ａは、シート状（すなわち平面状）に形成されている。第１シャッター３３Ａは、第１パネル３２Ａの複数の排気孔４２を全て覆う大きさを有する。第１シャッター３３Ａは、例えば、全域に亘り厚さが一定である。第１シャッター３３Ａは、例えば、第１パネル３２Ａの外形に沿う四角形状である。ただし、第１シャッターの形状は、上記例に限定されない。
【００３４】
第１シャッター３３Ａは、可撓性を有し、外力が作用した場合に柔軟に変形可能である。本明細書で「可撓性を有する」とは、弾性を有する場合（変形した場合に反力が作用する場合）と、弾性を有しない場合（変形した場合に反力が作用しない場合）との両方を含む。第１シャッター３３Ａは、例えば、軟質の合成樹脂製（例えば、ポリエステルフィルム製）である。第１シャッター３３Ａの材質は、難燃性、耐熱性、耐久性、および強度に優れていると好ましい。第１シャッター３３Ａの厚さは、例えば１ｍｍ以下であり、さらに言えば０．５ｍｍ以下である。ただし、第１シャッター３３Ａの材質および厚さは、上記例に限定されない。
【００３５】
図２は、電力変換装置１を示す斜視図である。図２中で（ａ）は、ファン１３Ａが停止している状態を示す。図２中で（ｂ）は、ファン１３Ａが駆動されている状態を示す。なお図２中の矢印Ｆ１，Ｆ２については後述する。
【００３６】
第１シャッター３３Ａは、筐体１１および第１枠体３１Ａの外部に配置されている。本実施形態では、第１シャッター３３Ａは、筐体１１および第１枠体３１Ａの上方で、略水平に配置されている。第１シャッター３３Ａは、第１端部５１、第２端部５２、第３端部５３、および第４端部５４を有する。
【００３７】
第１端部５１は、四角形状の第１シャッター３３Ａの１つの辺に沿って設けられている。本実施形態では、第１端部５１は、第１シャッター３３Ａのなかで−Ｙ方向側の端部である。第１端部５１は、第１枠体３１Ａに固定される固定端部である。第１端部５１は、例えば、ねじのような複数の固定部材６１によって、第１パネル３２Ａに固定されている。すなわち、第１端部５１は、第１パネル３２Ａを介して第１枠体３１Ａに固定されている。本明細書で「枠体に固定される」とは、枠体に直接固定される場合に限定されず、別部材（例えばパネル３２Ａ）を介して固定される場合も含む。複数の固定部材６１は、互いに間隔を空けて第１端部５１の延伸方向（例えばＸ方向）に並んでいる。
【００３８】
第２端部５２は、第１シャッター３３Ａのなかで、第１端部５１とは反対側に位置する。第３端部５３および第４端部５４は、第１端部５１と第２端部５２とを結ぶ方向（Ｙ方向）に対して異なる方向（Ｘ方向）における第１シャッター３３Ａの両端部である。第２から第４の端部５２，５３，５４は、筐体１１、第１枠体３１Ａ、および第１パネル３２Ａに対して固定されていない。このため、第１シャッター３３Ａのなかで第１端部５１を除く領域は、筐体１１、第１枠体３１Ａ、および第１パネル３２Ａに対してＺ方向に移動可能な可動部５６を形成している（図２中の（ｂ）参照）。
【００３９】
図３は、図２に示された電力変換装置１のＦ３−Ｆ３線に沿う断面図である。図３中で（ａ）は、ファン１３Ａが停止している状態を示す。図３中で（ｂ）は、ファン１３Ａが駆動されている状態を示す。第１シャッター３３Ａの可動部５６は、第１ファン１３Ａが駆動されていない場合、第１パネル３２Ａの上面に接し、第１パネルの複数の排気孔４２、第１枠体３１Ａの排気口４１、筐体１１の第１開口部２２Ａ、および第１ファン１３Ａを上方から覆う（図３中の（ａ）参照）。本明細書で「覆う」とは、対象物を完全に覆う場合に限定されず、対象物の一部のみを覆う場合も含む。また「シャッターがファンを覆う」とは、シャッターとファンとの間に別部材（本実施形態では、パネル３２Ａ）が存在する場合も含む。
【００４０】
本実施形態では、第１シャッター３３Ａの可動部５６は、第１ファン１３Ａが駆動されていない場合、第１パネル３２Ａの上に位置し、第１パネル３２Ａによって下方から支持される。すなわち、第１シャッター３３Ａは、第１ファン１３Ａが駆動されていない場合、第１パネル３２Ａによって略水平な姿勢で支持されて複数の排気孔４２などを覆う。本明細書で「略水平な姿勢」とは、シャッターが略水平に完全に伸びている厳密な場合に限定されず、シャッターがファンによって変形させられた状態から元の状態に復帰する過程でシャッターに撓みなどが生じている場合も含む。
【００４１】
本実施形態では、第１シャッター３３Ａの第２端部５２、第３端部５３、および第４端部５４は、第１ファン１３Ａが駆動されていない場合、第１パネル３２Ａの上に位置し、第１パネル３２Ａによって下方から支持される。これにより、第１シャッター３３Ａが略水平な姿勢で安定して支持される。
【００４２】
一方で、第１シャッター３３Ａの可動部５６は、第１ファン１３Ａが駆動された場合、第１ファン１３Ａからの風によって変形し、第１枠体３１Ａと第１シャッター３３Ａとの間に第１ファン１３Ａからの風を通す隙間（流路）Ｓを形成する（図３中の（ｂ）参照）。すなわち、第１シャッター３３Ａは、該第１シャッター３３Ａの可動部５６が第１ファン１３Ａからの風によって持ち上げられる（浮き上がる）ことで、第１枠体３１Ａの上面と第１シャッター３３Ａとの間に上記隙間Ｓを形成する。本明細書で「第１枠体と第１シャッターとの間に隙間を形成する」とは、第１枠体３１Ａの上面に取り付けられた第１パネル３２Ａと第１シャッター３３Ａとの間に隙間Ｓが形成される場合も含む。
【００４３】
ところで、第１ファン１３Ａからの風は、第１シャッター３３Ａの第２端部５２と第１枠体３１Ａとの間の隙間、第１シャッター３３Ａの第３端部５３と第１枠体３１Ａとの間の隙間、および第１シャッター３３Ａの第４端部５４と第１枠体３１Ａとの間の隙間のそれぞれから放出される（図２参照）。ここで、第１ファン１３Ａが駆動された場合、第１シャッター３３Ａの第２端部５２、第３端部５３、第４端部５４のうち第２端部５２が最も高く持ち上げられる。このため、第１シャッター３３Ａの第２端部５２と第１枠体３１Ａとの間の隙間から排気される風の量は、第１シャッター３３Ａの第３端部５３と第１枠体３１Ａとの間の隙間から排気される風の量、および第１シャッター３３Ａの第４端部５４と第１枠体３１Ａとの間の隙間から排気される風の量の各々と比べて多い。このため本明細書では、第１シャッター３３Ａの第２端部５２と第１枠体３１Ａとの間の隙間から排気される風の流れ方向を「主流れ方向」と称する。本実施形態では、第１シャッター３３Ａのなかで−Ｙ方向側に第１端部５１が位置するため、＋Ｙ方向が「主流れ方向」に該当する。
【００４４】
本実施形態では、第１シャッター３３Ａと第２シャッター３３Ｂとは、Ｙ方向に並べて配置されている。そして本実施形態では、第１シャッター３３Ａが形成する隙間Ｓから排気される風の主流れ方向Ｆ１が第１シャッター３３Ａから第２シャッター３３Ｂの上方に向かう方向となり、第２シャッター３３Ｂが形成する隙間Ｓから排気される風の主流れ方向Ｆ２が第２シャッター３３Ｂから第１シャッター３３Ａとは反対側に向かう方向となるように、第１シャッター３３Ａの第１端部５１および第２シャッター３３Ｂの第１端部５１の配置位置が設定されている（図２参照）。具体的には、第１シャッター３３Ａの第１端部５１は、第１シャッター３３Ａのなかで−Ｙ方向側に配置されている。同様に、第２シャッター３３Ｂの第１端部５１は、第２シャッター３３Ｂのなかで−Ｙ方向側に配置されている。
【００４５】
第１シャッター３３Ａは、第１ファン１３Ａの駆動が停止された場合、第１シャッター３３Ａの自重によって下がり、第１パネル３２Ａの上に戻る。これにより、第１パネルの複数の排気孔４２、第１枠体３１Ａの排気口４１、筐体１１の第１開口部２２Ａ、および第１ファン１３Ａを上方から再び覆い、第１パネル３２Ａの複数の排気孔４２が第１シャッター３３Ａによって閉鎖される。これにより、電力変換装置１の停止時（第１ファン１３Ａの停止時）に、外部の埃などが電力変換装置１の内部に入りにくくなる。
【００４６】
次に、第１シャッター３３Ａの大きさについて説明する。図４は、電力変換装置１の一部を示す斜視図である。ここで、第１パネル３２Ａの複数の排気孔４２は、第１孔４２ａ、第２孔４２ｂ、および第３孔４２ｃを含む。第１孔４２ａは、第１ファン１３Ａが駆動されていない状態で、複数の排気孔４２のなかで第１シャッター３３Ａの第２端部５２に最も近い孔である。第２孔４２ｂは、第１ファン１３Ａが駆動されていない状態で、複数の排気孔４２のなかで第１シャッター３３Ａの第３端部５３に最も近い孔である。第３孔４２ｃは、第１ファン１３Ａが駆動されていない状態で、複数の排気孔４２のなかで第１シャッター３３Ａの第４端部５４に最も近い孔である。
【００４７】
また、第１シャッター３３Ａは、第１端部５１を規定する第１縁（第１辺）ｅ１、第２端部５２を規定する第２縁（第２辺）ｅ２、第３端部５３を規定する第３縁（第３辺）ｅ３、および第４端部５４を規定する第４縁（第４辺）ｅ４を有する。そして、第１ファン１３Ａが駆動されていない状態（第１シャッター３３Ａが平面状に伸びた状態）で、第１孔４２ａと第２縁ｅ２との間の最短距離を第１距離Ｌ１、第２孔４２ｂと第３縁ｅ３との間の最短距離を第２距離Ｌ２、第３孔４２ｃと第４縁ｅ４との間の最短距離を第３距離Ｌ３とした場合、第１距離Ｌ１は、第２距離Ｌ２および第３距離Ｌ３の各々よりも大きい。
【００４８】
また別の観点で見ると、第１シャッター３３Ａは、次に述べる大きさを有してもよい。図５は、第１ファン１３Ａが最大定格出力で駆動された場合の電力変換装置１を示す断面図である。「最大定格出力」とは、定格出力として出力が複数段で切替可能なファンの場合、それらのうち最大の出力を意味し、出力がＯＮ／ＯＦＦのみで切替可能なファンの場合、そのＯＮ状態の出力を意味する。第１シャッター３３Ａは、第１ファン１３Ａが最大定格出力で駆動されて第１ファン１３Ａからの風によって第１シャッター３３Ａが変形した状態で、第１シャッター３３Ａの第２端部５２が第１孔４２ａに対して第１端部５１とは反対側に残る大きさを有する。すなわち、第１シャッター３３Ａの第２端部５２は、第１ファン１３Ａが最大定格出力で駆動された状態で、第１孔４２ａの＋Ｙ方向側の端部よりもさらに＋Ｙ方向側に位置する。
【００４９】
次に、第１パネル３２Ａの複数の排気孔４２の配置位置について説明する。本実施形態では、複数の排気孔４２は、第１パネル３２Ａの中心に対して偏った位置に配置されている。すなわち、複数の排気孔４２は、第１シャッター３３Ａの第１端部５１よりも第２端部５２の近くに偏って配置されている。
【００５０】
図６は、電力変換装置１の一部を拡大して示す平面図である。第１パネル３２Ａは、第１領域Ｒ１と、第２領域Ｒ２とを有する。第１領域Ｒ１は、第１パネル３２Ａの中心Ｃ２（第１ファン１３Ａの回転中心軸Ｃ１と一致）に対して−Ｙ方向側に位置する領域である。第２領域Ｒ２は、第１パネル３２Ａの中心Ｃ２に対して＋Ｙ方向側に位置する領域である。そして、第２領域Ｒ２における複数の排気孔４２の開口面積の合計は、第１領域Ｒ１における複数の排気孔４２の開口面積の合計よりも大きい。
【００５１】
次に、第１整流板３４Ａについて説明する。図７は、図２に示された電力変換装置のＦ７−Ｆ７線に沿う断面図である。ここで、第１シャッター３３Ａは、第１領域Ｒ３と、第２領域Ｒ４とを有する。第１領域Ｒ３は、第１シャッター３３Ａの中心Ｃ３と第１端部５１との間に位置する領域である。第２領域Ｒ４は、第１シャッター３３Ａの中心Ｃ３と第２端部５２との間に位置する領域である。
【００５２】
第１整流板３４Ａは、第１枠体３１Ａに収容されている。第１整流板３４Ａは、第１ファン１３Ａの回転中心軸Ｃ１に対して傾いた傾斜部７１を含み、第１ファン１３Ａからの風の少なくとも一部の流れ方向を第１シャッター３３Ａの第２領域Ｒ４に向けて変える。第１整流板３４Ａは、例えば、Ｘ方向において、第１枠体３１Ａの内部の全幅に亘って設けられている。
【００５３】
本実施形態では、第１整流板３４Ａは、傾斜部７１と、固定部７２とを有する。傾斜部７１は、上方に進むに従い＋Ｙ方向側に位置するように第１ファン１３Ａの回転中心軸Ｃ１に対して斜めに傾いている。本実施形態では、傾斜部７１は、−Ｚ方向側に位置した第１端部７１ａ（下端部）と、＋Ｚ方向側に位置した第２端部７１ｂ（上端部）とを有する。第１端部７１ａは、例えば、第１ファン１３Ａの−Ｙ方向側の端部よりも−Ｙ方向側に位置する。第１端部７１ａは、Ｚ方向で第１ファン１３Ａと重ならない。一方で、第２端部７１ｂは、第１端部７１ａよりも＋Ｙ方向側に位置する。第２端部７１ｂは、Ｚ方向で第１ファン１３Ａと重なる。
【００５４】
第１整流板３４Ａの固定部７２は、例えば、傾斜部７１の第２端部７１ｂから−Ｙ方向に折り曲げられている。固定部７２は、例えば、第１パネル３２Ａの下面に固定されている。たたし、固定部７２の位置や形状は、上記例に限定されない。
【００５５】
以上のような構成によれば、電力変換装置１のシャッターが長期間に亘り設計通りに動作しやすくなる。ここで、電力変換装置１の排気口を開閉する金属製のシャッター板が設けられる場合を比較例として考える。この比較例の電力変換装置は、ファンの風圧によって回転する金属製のシャッター板と、このシャッター板を回転可能に支持する支持軸（シャッター軸）とを有する。このような構成では、シャッターを回動可能に支持するシャッター軸が経年劣化し、電力変換装置の長期使用においてシャッターが設計通りに動作しなくなる場合があり得る。
【００５６】
また上記比較例の構成では、ある程度の重さの金属製のシャッターをファンの風圧によって回転させる必要がある。このため、上記シャッター軸は、シャッターの端部に取り付けられるのではなく、シャッターの中央部近くに取り付けられ、シャッターの一部がカウンターウェイトとして機能するように構成される。このような構成では、ある程度の重さの金属製のシャッターをファンの風圧によって回転させることができるが、シャッターの回転時にカウンターウェイトが沈み込むための高さ空間が必要になるとともに、シャッターの重さのバランスに関する細かな調整が必要になる。
【００５７】
一方で、本実施形態では、電力変換装置１は、可撓性の第１シャッター３３Ａを有する。第１シャッター３３Ａは、シート状に形成されている。第１シャッター３３Ａは、第１ファン１３Ａが駆動された場合に第１ファン１３Ａからの風によって変形して第１枠体３１Ａと第１シャッター３３Ａと間に前記風を通す隙間Ｓを形成する。このような構成によれば、シャッターを回動可能に支持するシャッター軸が不要になるため、シャッター軸の経年劣化に伴う問題が生じない。その結果、シャッターが長期間に亘り設計通りに動作しやすくなる。また本実施形態の構成によれば、カウンターウェイトが沈み込むための高さ空間を確保する必要が無いため、装置全体として小型化を図ることができる。さらに、シャッターの重さのバランスに関する細かな調整も必要ないため、設置作業やメンテナンスも容易になる。
【００５８】
本実施形態では、第１シャッター３３Ａは、筐体１１よりも上方で略水平に配置され、可動部５６が前記風によって上方に持ち上げられることで隙間Ｓを形成する。このような構成によれば、第１ファン１３Ａの停止時に第１シャッター３３Ａが自重によって元の位置に復帰しやすい。これにより、電力変換装置１の防塵性をさらに高めることができる。
【００５９】
本実施形態では、電力変換装置１は、第１ファン１３Ａと第１シャッター３３Ａとの間に配置され、複数の排気孔４２を有した第１パネル３２Ａをさらに備える。このような構成によれば、第１パネル３２Ａによって上方からの落下物を受け止めることができ、シャッターが柔らかい場合であっても電力変換装置１の内部を保護することができる。
【００６０】
本実施形態では、第１パネル３２Ａは、第１枠体３１Ａと第１シャッター３３Ａとの間に配置され、第１ファン１３Ａが駆動されていない場合に第１シャッター３３Ａを略水平に支持する。このような構成によれば、第１シャッター３３Ａを略水平な姿勢に伸びやすく、その結果、第１シャッター３３Ａが撓んだ状態になりやすい場合と比べて、複数の排気孔４２が第１シャッター３３Ａによって覆われやすくなる。これにより、電力変換装置１の防塵性をさらに高めることができる。
【００６１】
本実施形態では、複数の排気孔４２は、第１シャッター３３Ａの第１端部５１よりも第２端部５２の近くに偏って配置されている。このような構成によれば、第１シャッター３３Ａの第１端部５１と比べて、第１シャッター３３Ａの第２端部５２に多くの風を当てることができる。その結果、第１シャッター３３Ａの持ち上がりの姿勢が安定し、大きな隙間Ｓが確保されやすい。これにより、筐体１１内の空気をよりスムーズに外部に排気することができる。これは、電力変換装置１の冷却性能の向上に繋がる。また、第１シャッター３３Ａの第１端部５１と比べて第２端部５２に多くの風を当てることができると、第１ファン１３Ａが停止して第１シャッター３３Ａが元の位置に復帰するときに、第１シャッター３３Ａの中央部に撓みが生じにくくなる。その結果、電力変換装置１の防塵性をさらに高めることができる。
【００６２】
本実施形態では、例えば、第１シャッター３３Ａは、第１ファン１３Ａが最大定格出力で駆動されて前記風によって第１シャッター３３Ａが変形した状態で、第２端部５２が第１孔４２ａに対して第１端部５１とは反対側に残る大きさを有する。このような構成によれば、第１ファン１３Ａが停止して第１シャッター３３Ａが元の位置に復帰するときに、全ての排気孔４２がより確実に塞がれやすい。これにより、電力変換装置１の防塵性をさらに高めることができる。
【００６３】
本実施形態では、第１整流板３４Ａは、第１ファン１３Ａの回転中心軸Ｃ１に対して傾いた傾斜部７１を有し、第１ファン１３Ａからの風の少なくとも一部の流れ方向を第１シャッター３３Ａの第２領域Ｒ４に向けて変える。このような構成によれば、第１シャッター３３Ａの第１領域Ｒ３と比べて、第１シャッター３３Ａの第２領域Ｒ４に多くの風を当てることができる。その結果、第１シャッター３３Ａの持ち上がりの姿勢が安定し、大きな隙間Ｓが確保されやすい。これにより、筐体１１内の空気をよりスムーズに外部に排気することができる。これは、電力変換装置１の冷却性能の向上に繋がる。また、第１シャッター３３Ａの第１領域Ｒ３と比べて第１シャッター３３Ａの第２領域Ｒ４に多くの風を当てることができると、第１ファン１３Ａが停止して第１シャッター３３Ａが元の位置に復帰するときに、第１シャッター３３Ａの中央部に撓みが生じにくくなる。その結果、電力変換装置１の防塵性をさらに高めることができる。さらに、第１整流板３４Ａが設けられると、第１枠体３１Ａの内部で風の流れが安定しやすくなる。その結果、第１シャッター３３Ａの振動（例えばＺ方向の揺れ）を抑えることができ、振動に伴う騒音を抑えるまたは実質的に無くすことができる。
【００６４】
本実施形態では、第１シャッター３３Ａが形成する隙間Ｓから排気される風の主流れ方向Ｆ１が第１シャッター３３Ａから第２シャッター３３Ｂの上方に向かう方向となり、第２シャッター３３Ｂが形成する隙間Ｓから排気される風の主流れ方向Ｆ２が第２シャッター３３Ｂから第１シャッター３３Ａとは反対側に向かう方向となる。このような構成によれば、上記２つの風の主流れ方向が互いに向かい合う場合や、互いに並行となる場合（例えば共に＋Ｘ方向に向く場合）と比べて、第１シャッター３３Ａが形成する隙間Ｓから排気される風と、第２シャッター３３Ｂが形成する隙間Ｓから排気される風とが互いに干渉しにくくなる。このため、第１および第２のシャッター３３Ａ，３３Ｂの振動を抑えることができ、振動に伴う騒音を抑えるまたは実質的に無くすことができる。
【００６５】
（第２の実施形態）
次に、第２の実施形態について説明する。第２の実施形態は、風の主流れ方向が第１の実施形態とは異なる。なお以下に説明する以外の構成は、上記第１の実施形態と同様である。
【００６６】
図８は、第２の実施形態の電力変換装置１を示す斜視図である。図８に示すように、本実施形態では、第１シャッター３３Ａが形成する隙間Ｓから排気される風の主流れ方向Ｆ１と、第２シャッター３３Ｂが形成する隙間Ｓから排気される風の主流れ方向Ｆ２とが、互いに向かい合う方向ではない互いに異なる方向となるように、第１シャッター３３Ａの第１端部５１および第２シャッター３３Ｂの第１端部５１の配置位置が設定されている。具体的には、第１シャッター３３Ａの第１端部５１は、第１シャッター３３Ａのなかで＋Ｙ方向側に配置されている。同様に、第２シャッター３３Ｂの第１端部５１は、第２シャッター３３Ｂのなかで−Ｙ方向側に配置されている。本実施形態では、２つの風の主流れ方向Ｆ１，Ｆ２は、互いに反対方向である。
【００６７】
このような構成によれば、上記２つの風の主流れ方向が互いに向かい合う場合や、互いに並行となる場合（例えば共に＋Ｘ方向に向く場合）と比べて、第１シャッター３３Ａが形成する隙間Ｓから排気される風と、第２シャッター３３Ｂが形成する隙間Ｓから排気される風とが互いに干渉しにくくなる。このため、第１および第２のシャッター３３Ａ，３３Ｂの振動を抑えることができ、振動に伴う騒音を抑えるまたは実質的に無くすことができる。
【００６８】
なお、第１シャッター３３Ａが形成する隙間Ｓを通じて排気される風の主流れ方向Ｆ１と、第２シャッター３３Ｂが形成する隙間Ｓを通じて排気される風の主流れ方向Ｆ２は、互いに向かい合う方向ではない互いに異なる方向であればよく、上記例とは異なる方向でもよい。
【００６９】
（第３の実施形態）
次に、第３の実施形態について説明する。第３の実施形態は、第１枠体３１Ａおよび第２枠体３１Ｂが１つの枠体３１として一体に設けられた点が第１の実施形態とは異なる。なお以下に説明する以外の構成は、上記第１の実施形態と同様である。
【００７０】
図９は、第３の実施形態の電力変換装置１を一部分解して示す斜視図である。第３の実施形態の電力変換装置１は、第１枠体３１Ａおよび第２枠体３１Ｂに代えて、枠体３１を有する。枠体３１は、枠本体８１と、仕切り部材８２とを有する。枠体３１は、平面視において、第１および第２の開口部２２Ａ，２２Ｂを囲う四角形状の枠状に形成されている。仕切り部材８２は、枠体３１のＹ方向の略中央部に設けられている。仕切り部材８２は、Ｘ方向に延びて、枠体３１の内部領域を第１開口部２２Ａに対応する領域と、第２開口部２２Ｂに対応する領域とに仕切っている（例えば、気密に仕切っている）。
【００７１】
このような構成によれば、例えば、第２ファン１３Ｂが停止された状態で、第１ファン１３Ａが運転される場合であっても、第１ファン１３Ａからの風は、第２パネル３２Ｂの排気孔４２に向かわずに、第１パネル３２Ａの排気孔４２に向かいやすくなる。このため、枠体３１内での風の流れが安定しやすく、第１シャッター３３Ａの振動を抑えることができ、振動に伴う騒音を抑えるまたは実質的に無くすことができる。
【００７２】
（第４の実施形態）
次に、第４の実施形態について説明する。第４の実施形態は、パネル３２Ａ，３２Ｂに代えて、ＥＭＩ対策用の金属メッシュ部材９１Ａ，９１Ｂが設けられた点が第１の実施形態とは異なる。なお以下に説明する以外の構成は、上記第１の実施形態と同様である。
【００７３】
図１０は、第４の実施形態の電力変換装置１を一部分解して示す斜視図である。第４の実施形態の電力変換装置１は、ＥＭＩ対策用の第１および第２の金属メッシュ部材９１Ａ，９１Ｂを有する。第１金属メッシュ部材９１Ａは、第１枠体３１Ａに収容されて、第１ファン１３Ａと第１シャッター３３Ａとの間に位置する。第２金属メッシュ部材９１Ｂは、第２枠体３１Ｂに収容されて、第２ファン１３Ｂと第２シャッター３３Ｂとの間に位置する。第１および第２の金属メッシュ部材９１Ａ，９１Ｂの各々は、「メッシュ部材」の一例である。
【００７４】
このような構成によれば、合成樹脂製のシャッター３３Ａ，３３Ｂが設けられる場合であっても、枠体３１Ａ，３１Ｂを利用して設けられた金属メッシュ部材９１Ａ，９１Ｂによって電磁障害の影響を抑制することができる。なお、「メッシュ部材」は、金属製に限らず、合成樹脂製やその他の材料で形成されてもよい。メッシュ部材は、電磁障害の影響を抑制する機能の代わりに（または加えて）、例えば、ファン１３Ａ，１３Ｂが駆動されていない場合にシャッター３３Ａ，３３Ｂを略水平な姿勢に支持する支持部材としての機能や、上方からの落下物（例えば上方で作業が行われる場合の工具など）から電力変換装置１の内部を保護する保護部材としても機能、電力変換装置１の使用者や作業者が誤ってファン１３Ａ，１３Ｂに向けて手を伸ばさないようにするための安全部材としての機能のうちいずれか１つ以上を有してもよい。
【００７５】
（第５の実施形態）
次に、第５の実施形態について説明する。第５の実施形態は、ファン１３Ａ，１３Ｂが筐体１１に代えて、枠体３１Ａ，３１Ｂに収容された点が第１の実施形態とは異なる。なお以下に説明する以外の構成は、上記第１の実施形態と同様である。
【００７６】
図１１は、第５の実施形態の電力変換装置１を示す断面図である。第５の実施形態の電力変換装置１では、第１ファン１３Ａは、筐体１１に代えて、第１枠体３１Ａに収容されている。これにより、第１ファン１３Ａ、第１枠体３１Ａ、第１パネル３２Ａ、および第１シャッター３３Ａは、１つのユニットＵを形成している。ユニットＵは、このユニットＵを単位として筐体１１に対して取り付けや交換が可能である。本実施形態では、第２ファン１３Ｂについても同様である。
【００７７】
このような構成によれば、第１ファン１３Ａ、第１枠体３１Ａ、および第１シャッター３３Ａなどを含むユニットＵを単位として、これら部材を筐体１１に対して取り付けや交換をすることができる。これにより、電力変換装置１の設置やメンテナンスの作業性を高めることができる。
【００７８】
（第６の実施形態）
次に、第６の実施形態について説明する。第６の実施形態は、枠体３１Ａ，３１Ｂが設けられておらず、パネル３２Ａ，３２Ｂおよびシャッター３３Ａ，３３Ｂが筐体１１に直接取り付けられた点が第１の実施形態とは異なる。なお以下に説明する以外の構成は、上記第１の実施形態と同様である。
【００７９】
図１２は、第６の実施形態の電力変換装置１を示す斜視図である。図１３は、第６の実施形態の電力変換装置１を一部分解して示す斜視図である。本実施形態では、第１および第２のパネル３２Ａ，３２Ｂは、筐体１１の上壁１１ｆの上面に載置されて、上壁１１ｆに直接に固定されている。第１および第２のシャッター３３Ａ，３３Ｂの各々の第１端部５１は、第１および第２のパネル３２Ａ，３２Ｂに固定されている。言い換えると、第１シャッター３３Ａの第１端部５１は、第１パネル３２Ａを介して筐体１１に固定されている。本明細書で「筐体に固定される」とは、筐体に直接固定される場合に限定されず、別部材（例えばパネル３２Ａ）を介して固定される場合も含む。第２シャッター３３Ｂについても同様である。
【００８０】
このような構成によっても、シャッター軸が存在しないシャッター構造を提供することができ、シャッターが長期間に亘り設計通りに動作しやすくなる。
【００８１】
次に、第１から第６の実施形態の電力変換装置１の変形例について説明する。図１４は、変形例に係る電力変換装置１の一部を示す平面図である。本変形例では、第１シャッター３３Ａは、第１シャッター３３Ａの中心Ｃ３と各角部とを結ぶ４つのラインで切断され、４つのシャッター片１０１，１０２，１０３，１０４に分かれている。各シャッター片１０１，１０２，１０３，１０４は、第１端部（固定端部）５１と、可動部５６とを有する。第１端部５１は、筐体１１と枠体３１Ａ，３１Ｂ（または枠体３１）とのうち少なくとも一方に固定されている。このような構成によっても、上記実施形態と同様の効果を奏することができる。
【００８２】
以上、第１から第６の実施形態および変形例について説明したが、実施形態は上記例に限定されない。第１から第６の実施形態の構成は、互いに組み合わせて実現可能である。また、シャッター３３Ａ，３３Ｂおよびパネル３２Ａ，３２Ｂは、筐体１１の上方に設置されるものに限定されず、筐体１１の側方に設置されてもよい。パネル３２Ａ，３２Ｂは、枠体３１Ａ，３１Ｂとシャッター３３Ａ，３３Ｂとの間に代えて、枠体３１Ａ，３１Ｂの内部や、枠体３１Ａ，３１Ｂと筐体１１の上壁１１ｆとの間に配置されてもよい。また、パネル３２Ａ，３２Ｂは、枠体３１Ａ，３１Ｂが設けられていない筐体１１に取り付けられてもよい。また、パネル３２Ａ，３２Ｂは、省略されてもよい。整流板３４Ａ，３４Ｂは、省略されてもよい。複数の排気孔４２は、パネル３２Ａ，３２Ｂの一方の端部に偏らずに設けられてもよい。また、メッシュ部材は、枠体３１Ａ，３１Ｂが設けられていない筐体１１に取り付けられてもよい。
【００８３】
以上説明した少なくともひとつの実施形態によれば、電力変換装置は、可撓性のシャッターを備えている。前記シャッターは、シート状に形成されている。前記シャッターは、前記筐体と前記枠体とのうち少なくとも一方に固定された端部と、前記筐体に対して移動可能な可動部とを含む。前記シャッターは、前記ファンが駆動された場合に前記ファンからの風によって変形して前記筐体と前記枠体とのうち少なくとも一方との間に前記風を通す隙間を形成する。このような構成によれば、シャッターが長期間に亘り設計通りに動作しやすくなる。
【００８４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８５】
１…電力変換装置、１１…筐体、１２…電力変換ユニット、１３Ａ，１３Ｂ…ファン、１４…排気用構造体、３１，３１Ａ，３１Ｂ…枠体、３２Ａ，３２Ｂ…パネル、３３Ａ，３３Ｂ…シャッター、３４Ａ，３４Ｂ…整流板、４１…枠体の排気口、４２…パネルの排気孔、４２ａ…第１孔、５１…第１端部、５２…第２端部、５３…第３端部、５４…第４端部、５６…可動部、Ｃ１…ファンの回転中心軸、Ｓ…隙間、Ｆ１，Ｆ２…風の主流れ方向。
【図１】
2020008523.tif 000003
【図２】
2020008523.tif 000004
【図３】
2020008523.tif 000005
【図４】
2020008523.tif 000006
【図５】
2020008523.tif 000007
【図６】
2020008523.tif 000008
【図７】
2020008523.tif 000009
【図８】
2020008523.tif 000010
【図９】
2020008523.tif 000011
【図１０】
2020008523.tif 000012
【図１１】
2020008523.tif 000013
【図１２】
2020008523.tif 000014
【図１３】
2020008523.tif 000015
【図１４】
2020008523.tif 000016
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
筐体と、
前記筐体に収容された電力変換ユニットと、
前記筐体に取り付けられた枠体と、
前記筐体と前記枠体とのうち少なくとも一方に収容され、前記筐体内の空気を前記筐体の外部に排気する第１ファンと、
シート状に形成され、前記筐体の外部に配置されて前記第１ファンを覆うとともに、前記筐体と前記枠体とのうち少なくとも一方に固定された第１端部と、前記筐体に対して移動可能な可動部とを含み、前記第１ファンが駆動された場合に前記第１ファンからの風によって変形して前記筐体と前記枠体とのうち少なくとも一方との間に前記風を通す隙間を形成する可撓性の第１シャッターと、
前記枠体に収容された整流板と、
を備え、
前記第１シャッターは、前記第１端部とは反対側に位置した第２端部を有するとともに、該第１シャッターの中心と前記第１端部との間に位置した第１領域と、該第１シャッターの中心と前記第２端部との間に位置した第２領域とを有し、
前記整流板は、前記第１ファンの回転中心軸に対して傾いた傾斜部を含み、前記第１ファンからの風の少なくとも一部の流れ方向を前記第１シャッターの前記第２領域に向けて変える、
電力変換装置。
【請求項２】
前記第１ファンは、前記筐体の上方に向けて前記風を送り、
前記第１シャッターは、前記筐体よりも上方で略水平に配置され、前記可動部が前記風によって上方に持ち上げられることで前記隙間を形成する、
請求項１に記載の電力変換装置。
【請求項３】
前記枠体は、上方に向いた排気口を有し、
前記第１シャッターは、前記枠体の外部に配置され、前記第１ファンが駆動されていない場合に前記排気口を上方から覆う、
請求項２に記載の電力変換装置。
【請求項４】
（削除）
【請求項５】
メッシュ部材をさらに備え、
前記メッシュ部材は、前記枠体に収容されて前記第１ファンと前記第１シャッターとの間に位置する、
請求項３に記載の電力変換装置。
【請求項６】
前記第１ファンと前記第１シャッターとの間に配置され、複数の排気孔を有したパネルをさらに備えた、
請求項２に記載の電力変換装置。
【請求項７】
前記パネルは、前記第１ファンが駆動されていない場合に該パネルの上に位置した前記第１シャッターを略水平な姿勢に支持する、
請求項６に記載の電力変換装置。
【請求項８】
筐体と、
前記筐体に収容された電力変換ユニットと、
前記筐体と前記筐体に取り付けられた枠体とのうち少なくとも一方に収容され、前記筐体内の空気を前記筐体の外部に排気する第１ファンと、
シート状に形成され、前記筐体の外部に配置されて前記第１ファンを覆うとともに、前記筐体と前記枠体とのうち少なくとも一方に固定された第１端部と、前記筐体に対して移動可能な可動部とを含み、前記第１ファンが駆動された場合に前記第１ファンからの風によって変形して前記筐体と前記枠体とのうち少なくとも一方との間に前記風を通す隙間を形成する可撓性の第１シャッターと、
前記第１ファンと前記第１シャッターとの間に配置され、複数の排気孔を有したパネルと、
を備え、
前記第１シャッターは、前記第１端部とは反対側に位置した第２端部を有し、
前記複数の排気孔は、前記第１シャッターの前記第１端部よりも前記第２端部の近くに偏って配置されている、
電力変換装置。
【請求項９】
筐体と、
前記筐体に収容された電力変換ユニットと、
前記筐体と前記筐体に取り付けられた枠体とのうち少なくとも一方に収容され、前記筐体内の空気を前記筐体の外部に排気する第１ファンと、
シート状に形成され、前記筐体の外部に配置されて前記第１ファンを覆うとともに、前記筐体と前記枠体とのうち少なくとも一方に固定された第１端部と、前記筐体に対して移動可能な可動部とを含み、前記第１ファンが駆動された場合に前記第１ファンからの風によって変形して前記筐体と前記枠体とのうち少なくとも一方との間に前記風を通す隙間を形成する可撓性の第１シャッターと、
前記第１ファンと前記第１シャッターとの間に配置され、複数の排気孔を有したパネルと、
を備え、
前記第１シャッターは、前記第１端部とは反対側に位置した第２端部を有し、
前記複数の排気孔は、該複数の排気孔のなかで前記第１シャッターの前記第２端部に最も近い第１孔を含み、
前記第１シャッターは、前記第１ファンが最大定格出力で駆動されて前記風によって前記第１シャッターが変形した状態で、前記第２端部が前記第１孔に対して前記第１端部とは反対側に残る大きさを有した、
電力変換装置。
【請求項１０】
前記筐体と前記枠体とのうち少なくとも一方に収容され、前記筐体内の空気を前記筐体の外部に排気する第２ファンと、
シート状に形成され、前記筐体と前記枠体とのうち少なくとも一方に固定された第１端部と、前記筐体に対して移動可能な可動部とを含み、前記第２ファンが駆動された場合に前記第２ファンからの風によって変形して前記筐体と前記枠体とのうち少なくとも一方との間に前記風を通す隙間を形成する可撓性の第２シャッターと、
をさらに備え、
前記第１シャッターと前記第２シャッターとは、並べて配置され、
前記第１シャッターが形成する前記隙間から排気される風の主流れ方向が前記第１シャッターから前記第２シャッターの上方に向かう方向であり、前記第２シャッターが形成する前記隙間から排気される風の主流れ方向が前記第１シャッターとは反対側に向かう方向となるように、前記第１シャッターの前記第１端部および前記第２シャッターの前記第１端部の配置位置が設定されている、
請求項１に記載の電力変換装置。
【請求項１１】
前記筐体と前記枠体とのうち少なくとも一方に収容され、前記筐体内の空気を前記筐体の外部に排気する第２ファンと、
シート状に形成され、前記筐体と前記枠体とのうち少なくとも一方に固定された第１端部と、前記筐体に対して移動可能な可動部とを含み、前記第２ファンが駆動された場合に前記第２ファンからの風によって変形して前記筐体と前記枠体とのうち少なくとも一方との間に前記風を通す隙間を形成する可撓性の第２シャッターと、
をさらに備え、
前記第１シャッターと前記第２シャッターは、並べて配置され、
前記第１シャッターが形成する前記隙間から排気される風の主流れ方向と、前記第２シャッターが形成する前記隙間から排気される風の主流れ方向とが、互いに向かい合う方向ではない互いに異なる方向となるように、前記第１シャッターの前記第１端部および前記第２シャッターの前記第１端部の配置位置が設定されている、
請求項１に記載の電力変換装置。
【請求項１２】
筐体と、前記筐体に収容された電力変換ユニットと、前記筐体と前記筐体に取り付けられた枠体とのうち少なくとも一方に収容され、前記筐体内の空気を前記筐体の外部に排気するファンとを有した電力変換装置に用いられる排気用構造体であって、
前記枠体と、
シート状に形成され、前記筐体と前記枠体とのうち少なくとも一方に固定された第１端部と、前記筐体に対して移動可能な可動部とを含み、前記ファンが駆動された場合に前記ファンからの風によって変形して前記筐体と前記枠体とのうち少なくとも一方との間に前記風を通す隙間を形成する可撓性のシャッターと、
前記枠体に収容された整流板と、
を備え、
前記シャッターは、前記第１端部とは反対側に位置した第２端部を有するとともに、該シャッターの中心と前記第１端部との間に位置した第１領域と、該シャッターの中心と前記第２端部との間に位置した第２領域とを有し、
前記整流板は、前記ファンの回転中心軸に対して傾いた傾斜部を含み、前記ファンからの風の少なくとも一部の流れ方向を前記シャッターの前記第２領域に向けて変える、
排気用構造体。
【国際調査報告】
2020008523.tif 000017
2020008523.tif 000018
2020008523.tif 000019
2020008523.tif 000020